(57)【特許請求の範囲】
【請求項１】
鉄筋コンクリート造又は鉄骨鉄筋コンクリート造の建物に於ける隅部にコーナーパネルを取り付ける構造であって、Ｌ型に形成された複数の取付金具を上部のスラブ側及び下部のスラブ側に配置すると共に、配置された取付金具の一方の片を上部のスラブ面又は下部のスラブ面に固定し、且つ他方の片をコーナーパネルの小口面に固定することを特徴とするコーナーパネルの取付構造。
【発明の詳細な説明】
【０００１】
【発明の属する技術分野】
本発明は、鉄筋コンクリート造又は鉄骨鉄筋コンクリート造の建物の隅部にコーナーパネルを取り付けるための構造に関するものである。
【０００２】
【従来の技術】
鉄骨造の建物、特にプレハブ住宅では、躯体を構成する梁及び柱に壁パネルを取り付けて外壁を構成しており、躯体にパネルを取り付けることは通常の技術である。例えば、１階層に於ける下部に配置された梁に溶接等の手段によって自重受け金具を取り付けると共に、上部に配置された梁にも同様にして取付金具を取り付けておき、壁パネルの下端部を自重受け金具に載置して支持すると共に上端部を取付金具に取り付けて固定することで壁面を構成している。
【０００３】
上記建物では壁パネルを並べて配置することで壁が構成されるため、二方向に配置された壁パネルが交差する建物の隅部では、各方向の壁パネルの勝ち負けが生じ、何れかの通りの小口面が露出することとなり外観上好ましくない。このため、隅部に壁パネルと同材質，同意匠のコーナーパネルを配置して躯体に取り付けることで、二方向の壁パネルの小口面を遮蔽して外観性能を向上させている。
【０００４】
コーナーパネルを躯体に取り付けるにはいくつかの方法が提案されているが、その中で例えば特開平１１−２２０８１号公報に開示された技術では、建物の隅部に配置された角柱の屋外面にＬ字状の支持部材を固着すると共に、上方に開口する鉤状部を構成した受け部材を固着しておき、且つコーナーパネルには受け金具に対応する位置に下方に開口する突起金物を取り付けておき、該コーナーパネルを上方から吊り込んで突起金物を受け金具に差し込むと共に支持金具によって支持して固定している。また特開２０００−３８７９１に開示された技術では、建物の隅部に配置された角柱に帯状金具を取り付け、この帯状金具を介してコーナーパネルを支持している。
【０００５】
このように鉄骨造の建物、特にプレハブ住宅としての建物では、躯体にコーナーパネルを取り付ける場合、建物の隅部に配置された柱を利用するのが一般的である。
【０００６】
一方、鉄筋コンクリート（ＲＣ）造又は鉄骨鉄筋コンクリート（ＳＲＣ）造（以下代表してＲＣ造）の建物では、梁，柱，外壁，床スラブ，天井スラブ等の躯体は連続して配筋された鉄筋を介して一体化されている。
【０００７】
従来、ＲＣ造の躯体に取り付けられる袖壁や腰壁等の非耐力壁（２次壁）は、厚さや取り付く部材に対する断面積等の条件によっては存在を無視されていた。しかし、最近の「建築物の構造規定」の改正に伴って、厚さの絶対寸法や相対寸法の大小に関わらず、躯体への影響を考慮して構造計算することが必要となっている。
【０００８】
２次壁を躯体への影響をなくして構成する場合、躯体から縁をきった所謂スリット型２次壁を構成する必要がある。この場合、予め工場生産された軽量気泡コンクリート（ＡＬＣ）パネルや、プレキャストコンクリート（ＰＣ）パネル等からなる平板状のパネルを躯体を構成する床スラブ，天井スラブに対し縁をきった状態で、即ち、両者の間に空間を形成して取り付ける必要がある。前記パネルは躯体を構成する柱間に取り付けられて２次壁を構成するのが一般的である。
【０００９】
【発明が解決しようとする課題】
ＲＣ造の建物に於いて、躯体にコーナーパネルを取り付ける場合、ＲＣ構造の技術では対応することができないため、鉄骨構造の技術を応用することになる。例えば、鉄筋を配筋する際に予め設定された位置にコーナーパネルを取り付けるための下地金具を設けると共に、コンクリートを打設する際に該コンクリートから露出させておき、建物にコーナーパネルを取り付ける際には、前記露出させた下地金物に取り付けるという作業を行なっている。
【００１０】
上記の如く、ＲＣ造の建物にコーナーパネルを取り付けるには、配筋時に予め下地金物を配置しておく作業や、コンクリートの打設作業時に下地金物を露出させておく作業等の作業を行なうために手間がかかるという問題や、下地金物を配置する際に取付位置を高い精度で取り付けておく必要があるため作業に手間がかかるという問題が生じる。
【００１１】
またＲＣ造の建物の壁面に出窓を構成したり、壁面から引き込んだ位置に出入口を構成するような場合、壁面を構成する例えばパネルに対して直交する壁面を構成する部分ではコーナーパネルを利用することが有利であることが多い。また壁面に対して直交する方向にサッシを取り付けるような場合、壁を構成するパネルの内面に取り付けた内装材とサッシの間に額縁を取り付けて納めることがあるが、平板状のサッシでは納まり難いという問題がある。
【００１２】
本発明の目的は、ＲＣ造の建物に出窓等を構成するためにコーナーパネルを取り付ける際に外観を損なうことなく該コーナーパネルを取り付けることが出来る取付構造を提供することにある。
【００１３】
【課題を解決するための手段】
上記課題を解決するために本発明に係るコーナーの取付構造は、鉄筋コンクリート造又は鉄骨鉄筋コンクリート造の建物に於ける隅部にコーナーパネルを取り付ける構造であって、Ｌ型に形成された複数の取付金具を上部のスラブ側及び下部のスラブ側に配置すると共に、配置された取付金具の一方の片を上部のスラブ面又は下部のスラブ面に固定し、且つ他方の片をコーナーパネルの小口面に固定するものである。
【００１４】
上記コーナーパネルの取付構造では、Ｌ型に形成された複数の取付金具を、上部のスラブ（天井スラブ）側及び下部のスラブ（床スラブ）側に配置し、取付金具の一方側の片を天井スラブ面又は床スラブ面に固定すると共に、他方の片をコーナーパネルの小口面に固定することで、所定位置に配置されたコーナーパネルを取付金具を介して天井スラブと床スラブに固定することが出来る。
【００１５】
取付金具がコーナーパネルの小口面に配置されるため、該取付金具は、コーナーパネルの小口面と該小口面に対向する建物の壁の小口面との間に形成される目地に挿入されることとなり、外部に露出することがない。従って、簡単な施工でコーナーパネルを取り付けることが出来る。
【００１６】
またコーナーパネルが断面Ｌ型に形成されるため、外側面及び内側面が直交した二面によって形成されるため、不連続な線が露出することがなく、壁面から出窓への交差面、壁面と出入口との交差面の外観性能を向上することが出来る。また小口面と内側面との間に段差ができるため、この段差を利用して額縁等を納めることが可能となり、サッシと取り付ける際の納まりを向上することが出来る。
【００１７】
【発明の実施の形態】
以下、上記コーナーパネルの取付構造の好ましい実施形態について説明する。本発明に係るコーナーパネルの取付構造は、ＲＣ造或いはＳＲＣ造の建物に於けるスラブにＬ字状のコーナーパネルを取り付ける際の構造であり、建物の壁部に出窓や出入口を構成する際に、或いはサッシを取り付ける際に採用して有利である。
【００１８】
本発明に於いて、床スラブ及び、又は天井スラブにコーナーパネルを取り付ける場合、Ｌ字状に形成された取付金具を用いている。この取付金具は、コーナーパネルの小口面の幅寸法よりも小さい幅寸法を有し且つ所定の長さを持った鋼板やフラットバーを直角に折り曲げて構成されている。しかし、必ずしも取付金具を鋼板やフラットバーによって構成する必要はなく、山形鋼を利用しても良いことは当然である。
【００１９】
そしてコーナーパネルを所定の取付位置に配置し、該コーナーパネルの床スラブ面側及び天井スラブ面側に夫々取付金具を配置し、この取付金具の一方の片を床スラブ面や天井スラブ面に固定すると共に他方の片をコーナーパネルの小口面に固定することで、コーナーパネルは建物の天井スラブ，床スラブに取り付けられている。
【００２０】
従って、スラブに対しコーナーパネルを後付けする場合であっても、従来のように配筋工事の段階で下地金物を取り付けておく必要がなく、極めて容易な作業で取り付けることが可能であり、且つ既に硬化した床スラブ上に載置した状態で位置決めした後で取り付けるため、取付位置の精度を高めることが可能となる。
【００２１】
取付金具を床スラブや天井スラブに固定する際の固定手段については限定するものではなく、例えば、ガンに装着し、衝撃力によって取付金具の片を貫通させてスラブに打ち込む鉄砲ピンや、スラブに長ナットを打ち込み、この長ナットにボルトを締結して固定するアンカー部材を利用することが可能である。
【００２２】
また取付金具をコーナーパネルの小口面に固定する際のパネル固定手段についても特に限定するものではなく、上記した鉄砲ピンやアンカーを用いることが可能である。
【００２３】
しかし、コーナーパネルは建物に取り付けられることが明らかであるため、予め工場段階で取付金具を固定し易いように加工しておくことが可能である。例えば、コーナーパネルの小口面であって、取付金具の片の長さから考慮してパネル固定手段を構成し得る位置（端面からの距離が取付金具の片の長さよりも小さい位置）に、予め所定の径と深さを持った穴を形成しておきこの穴を利用して取付金具の片を固定しても良い。
【００２４】
この場合、コーナーパネルの小口面に形成された穴の径と深さに対応させた棒部材と該棒部材の一端に設けたフランジ部材とからなるピンを形成し、棒部材を前記穴に挿入すると共にフランジ部材を取付金具の片に溶接することで固定することが可能である。
【００２５】
小口面に形成された穴に棒部材を挿入して固定する場合、穴の径が棒部材の径と比較して大き過ぎる場合、コーナーパネルがガタつくことがある。このため、穴の径を棒部材の径に対し僅かに大きい値としてガタを防止するか、或いは穴の径を棒部材の径に対して充分に大きい径とし且つ棒部材の外周面に複数の突起を形成して穴の内面に当接或いは食い込むように構成することが好ましい。
【００２６】
また予めコーナーパネルに雌ネジを形成した埋込金具を埋め込むと共に小口面から雌ネジに向けて穴を形成しておき、該ネジを利用して取付金具を小口面に固定しても良い。この場合、取付金具の小口面に対向する片には予めボルトを挿通する孔を形成しておき、該孔に挿通したボルトを小口面に形成した穴を通して埋込金具のネジに締結することで固定することが可能である。
【００２７】
更に、コーナーパネルに長手方向の穴と、該穴と小口面とを連通する穴を形成し、小口面から形成した穴に一端に係止部を形成したボルト或いはナットを挿入すると共に、長手方向に形成した穴にアンカー棒鋼を挿入してボルト或いはナットを係止し、このボルト或いはナットを利用して固定しても良い。この場合、取付金具の小口面に対向する片には予めボルトを挿通する孔を形成しておき、該孔にコーナーパネルに挿入したボルト、或いはコーナーパネルに挿入したナットに螺合するボルトを挿通して締結することで固定することが可能である。
【００２８】
上記の如くして固定されたコーナーパネルでは、該コーナーパネルに作用する水平方向の力は、パネル固定手段及び取付金具を介して天井スラブ及び床スラブに伝達されて支持される。
【００２９】
現場で行なう溶接作業が好ましくないような場合、棒部材の一端にネジを形成すると共に取付金具の片に棒部材を通過させる孔を形成しておき、棒部材を穴に挿入してナットを利用して固定することも可能である。この場合、コーナーパネルの二つの小口面に夫々取付金具を配置して固定することで、棒部材は互いに略直交して配置されることとなり、コーナーパネルに如何なる方向の力が作用したとしても、棒部材によって支持することが可能である。
【００３０】
本発明に於いてコーナーパネルの材質は特に限定するものではなく、ＰＣ（プレキャストコンクリート）からなるコーナーパネルや、ＡＬＣ（軽量気泡コンクリート）からなるコーナーパネルを目的の建物に応じて適宜選択して用いることが可能である。
【００３１】
また本発明に於けるコーナーパネルを取り付ける対象となるスラブは、必ずしも通常の概念による床スラブ或いは天井スラブ等のスラブに限定するものではなく、ＲＣ造の梁であっても良く、且つ床に設けたコンクリート版、或いは天井に設けたコンクリート版であっても良い。
【００３２】
次に、本発明のコーナーパネルの取付構造に係る好ましい実施例について図を用いて説明する。図１はコーナーパネルの取付構造を説明する斜視図である。図２はコーナーパネルの取付構造を説明し、且つ隣接する壁パネルとの関係を説明する平面図である。図３はコーナーパネルの下端部分と床スラブの一部を断面してコーナーパネルの取付構造を説明する図である。図４は取付金具の他の例を説明する図である。図５は取付金具の更に他の例を説明する図である。図６は固定部材の例を説明する図である。図７は取付金具と固定部材との組み合わせの他の例を説明する図である。
【００３３】
図１〜３に於いて、コーナーパネル１は断面が予め設定された寸法を持ったＬ字型に形成されており、該Ｌ字型の先端部分が夫々小口面１ａとして形成されている。従って、小口面１ａは互いに直交して配置されることとなる。
【００３４】
上記小口面１ａであって長手方向の両端部から取付金具２の小口側片２ｂの長さに対応して設定された部位に穴１ｂが形成されている。前記穴１ｂは、固定部材（パネル固定手段）３の形状や寸法に対応した径と深さをもって形成されており、予め工場段階で形成しておくことが好ましい。
【００３５】
またコーナーパネル１は、取り付けるべき床スラブと天井スラブからなるスラブ４の間の寸法に対応した長さを持って構成されている。
【００３６】
取付金具２は、スラブ４側に固定されるスラブ側片２ａと、コーナーパネルの小口面１ａに固定される小口側片２ｂとからなるＬ字状に形成されている。また取付金具２は、コーナーパネル１の小口面１ａの幅寸法よりも小さい幅寸法を有し、且つ小口面１ａに固定する際に利用される固定部材３や、スラブ４に固定する際に利用される鉄砲ピン５を取り付ける際に必要な作業を容易に実施し得る程度の長さを有している。
【００３７】
コーナーパネル１は取付金具２を介して建物に取り付けられるため、コーナーパネル１に作用する水平方向の荷重は取付金具２に作用することとなる。このため、取付金具２は想定された水平荷重に対し充分に高い強度を発揮し得る断面積を付与される。
【００３８】
本実施例に於いて、取付金具２は鉄砲ピン５のスラブ４に対する打ち込みによって該スラブ４に固定され、コーナーパネル１の小口面１ａに形成した穴１ｂに固定部材３の棒部材３ａを挿入してフランジ部材３ｂを溶接することで小口面１ａに固定されている。このため、取付金具２としては各片２ａ，２ｂが単に板状に形成されたものを用いている。
【００３９】
固定部材３は、予め設定された径と長さを持った棒部材３ａと、棒部材３ａの一端に溶接等の手段で固定したフランジ部材３ｂとを有して構成されている。この固定部材３は、フランジ部材３ｂを取付金具２の小口側片２ｂに溶接することで固定される。このため、フランジ部材３ｂは溶接に耐え得る厚さを有することが必要となり、取付金具と溶接したとき厚くなりすぎる虞がある。このような場合、小口面１ａに穴１ｂを形成する際に、該穴１ｂの周囲をフランジ部材３ｂの厚さに相当する深さ分ザグリ（図２に示すザグリ部１ｃ）しておくことが好ましい。
【００４０】
次に、コーナーパネル１をスラブ４に取り付ける手順について説明する。建物の壁面に対応する位置であって、コーナーパネル１を取り付けるべき部位、例えば出窓を構成する部位或いは出入口を構成する部位に支持金具９を設置する。支持金具９は床スラブ及び天井スラブからなるスラブ４であって、コーナーパネル１を配置すべき位置に配置され、図示しない固定具によってスラブ４に固定される。そして、固定された支持金具９上にコーナーパネル１を配置してスラブ４に対して位置決めして保持する。
【００４１】
小口面１ａに形成した穴１ｂに固定部材３の棒部材３ａを挿入しておき、取付金具２の小口側片２ｂを小口面１ａに当接させた状態で、スラブ側片２ａをスラブ４に当接し、このスラブ側片２ａの上部から鉄砲ピン５を打ち込む。これにより、鉄砲ピン５がスラブ側片２ａを貫通してスラブ４に打ち込まれ、取付金具２がスラブ４に固定される。
【００４２】
取付金具２のスラブ側片２ａを鉄砲ピン５によってスラブ４に固定した後、予め穴１ｂに挿入されていた固定部材３のフランジ部材３ｂと取付金具２の小口側片２ｂとを溶接することで、取付金具２に小口面１ａを固定する。このとき、小口面１ａに形成された穴１ｂの径が固定部材３の棒部材３ａの径と比較して大き過ぎる場合、コーナーパネル１が多少ガタつくことがある。
【００４３】
このため、穴１ｂの径を棒部材３ａの径に対し僅かに大きい値としてガタを防止するか、或いは穴１ｂの径を棒部材３ａの径に対して充分に大きい径とすると共に棒部材３ａの外周面に複数の突起を形成して穴１ｂの内面に当接或いは食い込むように構成することが好ましい。
【００４４】
上記の如くして全ての取付金具２をスラブ４，小口面１ａに固定したとき、コーナーパネル１は取付金具２を介してスラブ４に固定される。その後、コーナーパネル１に隣接させて出窓を構成するパネル６を取り付けると共に両者の間に形成された目地部７に防水材８を施工し、且つコーナーパネル１の両端部とスラブ４との間に防水材８を施工することで出窓部分を構成することが可能である。
【００４５】
図４は取付金具２の他の例を示す図である。同図（ａ）は小口側片２ｂに孔２ｃが形成されており、該孔２ｃに図５に示すアンカー10，11のボルト10ａ，11ａを挿通することによって小口側片２ｂをコーナーパネル１の小口面１ａに固定すると共に、鉄砲ピン５によってスラブ側片２ａをスラブ４に固定し得るように構成したものである。
【００４６】
また同図（ｂ）は、取付金具２のスラブ側片２ａに穴２ｄが形成されると共に小口側片２ｂに孔２ｃが形成されており、穴２ｄ及び孔２ｃには夫々図５に示すアンカー10，11のボルト10ａ，11ａを挿通することによって、スラブ４及びコーナーパネル１の小口面１ａに固定し得るように構成したものである。
【００４７】
図５は取付金具２の更に他の例を示すものであり、同図（ａ）は、各片２ａ，２ｂに夫々長穴２ｅを形成したものである。また同図（ｂ）は取付金具２のスラブ側片２ａには長穴２ｅを形成し、小口側片２ｂには長穴状で且つ端部が開放されたスリット２ｆを形成したものである。
【００４８】
上記の如く各片２ａ，２ｂに夫々長穴２ｅやスリット２ｆを形成した取付金具２は、予め埋込金具を埋設したコーナーパネル１、或いはアンカー棒鋼に係止されたボルト，ナットを有するコーナーパネル１を利用する際に使用して有利である。即ち、コーナーパネル１をスラブ４に取り付けるに際し、建物の躯体側には予め設定された許容寸法範囲内でのバラツキが生じているのが一般的であるが、取付金具２に長穴２ｅやスリット２ｆを形成しておくことで、前記バラツキに容易に対応することが可能である。
【００４９】
図６はアンカー10，11を示すものであり、固定部材３及び鉄砲ピン５と同様の機能を有しており、これらに代えて用いることで、取付金具２をスラブ４，コーナーパネル１の小口面１ａに固定することが可能である。
【００５０】
同図（ａ）に示すアンカー10はボルト10ａとナット10ｂとからなり、ナット10ｂは外周に複数の突起部10ｃが設けられている。このナット10ｂは、コーナーパネル１の小口面１ａに形成された穴１ｂ、或いはスラブ４に形成された図示しない穴に打ち込まれたとき、突起部が穴１ｂ，スラブ４に食い込んで安定し抜け出すことがない。同図（ｂ）に示すアンカー11はボルト11ａとナット11ｂとからなり、ナット11ｂを小口面１ａに形成した穴１ｂ、或いはスラブ４に形成した穴に打ち込んで保持し得るように構成されている。
【００５１】
図７は取付金具２と固定部材との組み合わせの他の例を示すものである。この例では、コーナーパネル１には、予め雌ネジを形成した埋込金具が埋設されており、取付金具２としては図４（ｂ）に示す各片２ａ，２ｂに穴２ｄ，２ｃを形成したものを利用している。この場合、固定部材としてはボルト12を利用しており、該ボルト12を小口面１ａに当接させた取付金具２の小口側片２ｂの孔２ｃに挿通した後、小口面１ａの穴１ｂに挿通し、更に、図示しない埋込金具のネジ部に締結することで、コーナーパネル１が取付金具２を介してスラブ４に固定される。
【００５２】
【発明の効果】
以上詳細に説明したように本発明に係るコーナーパネルの取付構造では、該コーナーパネルの小口面に取付金具を固定すると共に該取付金具をスラブ面に固定することで、コーナーパネルをＲＣ造の建物に取り付けることが出来る。このように、コーナーパネルをスラブ面に後付することで、スラブの配筋を行なう際に下地金物を埋め込んでおく必要がなく、配筋作業を容易に進めることが出来る。
【００５３】
またコーナーパネルの小口面に取付金具を介在させて建物に取り付けるため、該取付金具は目地内に挿入されてしまうこととなり、内面或いは外面に露出することがない。このため、出窓や出入口を構成した場合であっても外観性を損なうことがない。
【００５４】
更に、建物のスラブに取り付けたコーナーパネルを利用して出窓や出入口を構成することによって、工事が容易で且つコーナー部分を連続した面によって構成することが出来、外観性能を向上することが出来る。またコーナーパネルを利用してサッシや内装を構成することによって、該コーナーパネルの小口面と内側面との間の段差を利用して、サッシや内装，額縁等の納まりを向上させることが出来る。
【図面の簡単な説明】
【図１】コーナーパネルの取付構造を説明する斜視図である。
【図２】コーナーパネルの取付構造を説明し、且つ隣接する壁パネルとの関係を説明する平面図である。
【図３】コーナーパネルの下端部分と床スラブの一部を断面してコーナーパネルの取付構造を説明する図である。
【図４】取付金具の他の例を説明する図である。
【図５】取付金具の更に他の例を説明する図である。
【図６】固定部材の例を説明する図である。
【図７】取付金具と固定部材との組み合わせの他の例を説明する図である。
【符号の説明】
１                    コーナーパネル
１ａ                  小口面
１ｂ                  穴
１ｃ                  ザグリ部
２                    取付金具
２ａ                  スラブ側片
２ｂ                  小口側片
２ｃ，２ｄ            孔
２ｅ                  長穴
２ｆ                  スリット
３                    固定部材
３ａ                  棒部材
３ｂ                  フランジ部材
４                    スラブ
５                    鉄砲ピン
６                    パネル
７                    目地部
８                    防水材
９                    支持金具
10，11                アンカー
10ａ，11ａ，12        ボルト
10ｂ，11ｂ            ナット
10ｃ                  突起部
【図１】
0004502542.tif 000002
【図２】
0004502542.tif 000003
【図３】
0004502542.tif 000004
【図４】
0004502542.tif 000005
【図５】
0004502542.tif 000006
【図６】
0004502542.tif 000007
【図７】
0004502542.tif 000008